(57)【要約】【課題】左右勝手等の設定が簡単に変えられ、変えられた設定は簡単には変更できずに悪戯が防止される錠装置及び錠装置の機能設定方法を提供する。【解決手段】錠装置において、既設錠装置の操作部材に連結されるサムターンコア２９と、新設サムターン１７に連結されるサムターンベース２５と、異なる回転位置のそれぞれでサムターンコア２９とサムターンベース２５を相対回転不能に連結するとともに軸線方向にスライドされて連結を解除する切替軸２７と、サムターンコア２９の半径方向外側に突出する検出杆５１に設けられ装置本体１３の検知手段５５に対向配置されることで検出される検知体５３と、サムターンコア２９に同一中心で貫通形成され工具が相対回転不能に挿入されるとともに工具の挿入方向の押圧によって切替軸２７が軸線方向にスライドされる切替穴７１と、を設けた。【選択図】  図２
2013209856.tif 000002
【特許請求の範囲】
【請求項１】
既設錠装置の操作部材に連結されるサムターンコアと、
新設サムターンに連結されるサムターンベースと、
異なる回転位置のそれぞれで前記サムターンコアと前記サムターンベースを相対回転不能に連結するとともに軸線方向にスライドされて前記連結を解除する切替軸と、
前記サムターンコアの半径方向外側に突出する検出杆に設けられ装置本体の検知手段に対向配置されることで検出される検知体と、
前記サムターンコアに同一中心で貫通形成され工具が相対回転不能に挿入されるとともに前記工具の挿入方向の押圧によって前記切替軸が前記軸線方向にスライドされる切替穴と、
を具備することを特徴とする錠装置。
【請求項２】
請求項１記載の錠装置であって、
前記操作部材が既設サムターンであり、
前記既設サムターンが抜去されて開口されるダルマ穴に連結軸が相対回転不能に挿入され、
前記連結軸に前記サムターンコアが相対回転不能に連結されることを特徴とする錠装置。
【請求項３】
請求項１記載の錠装置であって、
前記操作部材が既設サムターンであり、
前記サムターンコアが前記既設サムターンに被せられて連結されることを特徴とする錠装置。
【請求項４】
請求項１，２，３のいずれか１つに記載の錠装置であって、
装置本体がカバーに覆われ、
前記カバーに覆われずに表出する裏蓋が扉面に対面されて取り付けられ、
前記裏蓋に、前記サムターンコアの前記切替穴が表出するよう配置されることを特徴とする錠装置。
【請求項５】
請求項４記載の錠装置であって、
前記裏蓋に、前記サムターンコアが前記相対回転不能に連結される異なる回転位置の回転方向を表す標示が設けられていることを特徴とする錠装置。
【請求項６】
請求項１，２，３，４，５のいずれか１つに記載の錠装置を用いる錠装置の機能設定方法であって、
前記錠装置を扉に取り付ける前に、前記切替穴に前記工具を挿入して前記切替軸をスライドすることにより前記サムターンコアと前記サムターンベースとの連結を解除した後、
前記工具を回転して前記サムターンコアのみを切り替え位置に回転し、
前記工具を抜くことにより前記サムターンコアと前記サムターンベースとを再連結して、前記操作部材の回転方向に応じ前記検知体の検知位置を切り替えることを特徴とする錠装置の機能設定方法。
【発明の詳細な説明】
【技術分野】
【０００１】
本発明は、錠装置及び錠装置の機能設定方法に関する。
【背景技術】
【０００２】
扉や機械式錠前に対して、極力、孔、切欠等の加工を施さないで、かつ、簡単に制御箱を後付することができるようにした電気錠が知られている（特許文献１等参照）。この電気錠の取付構造は、機械式錠前を扉の内壁面に取付け、錠前の錠箱から突出するサムターン摘みに、制御箱に設けた動力伝達機構の伝動歯車と噛合する歯部を有するサムターン摘み用キャップを外嵌合する。このキャップ用の開口部及び取付け孔を有する制御箱の一端部側を、錠箱の外壁面に位置決めした状態で添設し、かつ固着具を介して制御箱を錠箱に後付固定する。
【０００３】
ところで、扉には吊元が左右で異なる左右勝手がある。電動でサムターンを回転させて施解錠するには、サムターンの回転方向が左右勝手で異なるため、左右勝手を変える設定、すなわちサムターンの回転方向に合せてモーターの制御方向を変えるが必要となる。例えば上記特許文献１の電気錠の取付構造では、左右勝手に対応する第１及び第２の取付け孔が形成されている。制御箱は、これら第１及び第２の取付け孔が、錠箱に形成されたネジ孔の位置如何によって選択的に利用され、扉の左右勝手に対応して錠箱に後付固定される。
【先行技術文献】
【特許文献】
【０００４】
【特許文献１】特開２００５−２３６８８号公報
【発明の概要】
【発明が解決しようとする課題】
【０００５】
しかしながら、上記の電気錠の取付構造は、第１及び第２の取付け孔の位置が、左右勝手に対応する構造となるのみで、切り替えによって容易に左右勝手が変更されるものではなかった。また、電気錠には、表面にディップスイッチ等の切替手段が設けられ、モーター制御回路の設定範囲が決定されるものもあるが、容易に見える位置に配設されており、設定者以外の者が悪戯で触る虞がある。
【０００６】
本発明は上記状況に鑑みてなされたもので、その目的は、左右勝手などの機能の設定が簡単に変えられ、変えられた設定は簡単には変更できずに悪戯が防止される錠装置及び錠装置の機能設定方法を提供することにある。
【課題を解決するための手段】
【０００７】
次に、上記の課題を解決するための手段を、実施の形態に対応する図面を参照して説明する。
本発明の請求項１記載の錠装置は、既設錠装置３５の操作部材に連結されるサムターンコア２９と、
新設サムターン１７に連結されるサムターンベース２５と、
異なる回転位置のそれぞれで前記サムターンコア２９と前記サムターンベース２５を相対回転不能に連結するとともに軸線方向にスライドされて前記連結を解除する切替軸２７と、
前記サムターンコア２９の半径方向外側に突出する検出杆５１に設けられ装置本体１３の検知手段５５に対向配置されることで検出される検知体５３と、
前記サムターンコア２９に同一中心で貫通形成され工具８９が相対回転不能に挿入されるとともに前記工具８９の挿入方向の押圧によって前記切替軸２７が前記軸線方向にスライドされる切替穴７１と、
を具備することを特徴とする。
【０００８】
この錠装置では、サムターンコア２９の切替穴７１に工具８９が挿入され、工具８９によって奥側の切替軸２７がスライドされると、サムターンコア２９とサムターンベース２５との連結が解除される。連結が解除された状態で、工具８９が回転されると、サムターンコア２９のみが、所望の機能切替、例えば左右勝手において検知体５３が検知手段５５によって検知されることとなる回転位置へ回転される。所望の回転位置へサムターンコア２９が回転された後、工具８９が切替穴７１から抜かれると、切替軸２７によってサムターンコア２９とサムターンベース２５とが再連結される。この際の再連結位置は、切り替え連結前のサムターンベース２５と異なる相対角度に設定される。すなわち、切り替え前が左勝手であれば、切り替え後は右勝手となり、切り替え前が右勝手であれば、切り替え後は左勝手となる。これにより、サムターンコア２９の左右勝手の切り替え設定が完了される。
【０００９】
本発明の請求項２記載の錠装置は、請求項１記載の錠装置であって、
前記操作部材が既設サムターン３７であり、
前記既設サムターン３７が抜去されて開口されるダルマ穴４１に連結軸４３が相対回転不能に挿入され、
前記連結軸４３に前記サムターンコア２９が相対回転不能に連結されることを特徴とする。
【００１０】
この錠装置では、既設サムターン３７が抜去されると、既設サムターン軸の挿入されていたダルマ穴４１が開口される。このダルマ穴４１に、一端が既設サムターン軸と同形状に形成される連結軸４３が挿入される。連結軸４３は、他端がサムターンコア２９の連結穴４９に相対回転不能に挿入される。これにより、操作部材とサムターンコア２９とが連結軸４３によって連結される。なお、連結穴４９の奥側には切替穴７１が同一中心で配置される。
【００１１】
本発明の請求項３記載の錠装置は、請求項１記載の錠装置であって、
前記操作部材が既設サムターン３７であり、
前記サムターンコア２９が前記既設サムターン３７に被せられて連結されることを特徴とする。
【００１２】
この錠装置では、既設錠装置３５の操作部材である既設サムターン３７が扉面９１から突出して設けられている。サムターンコア２９には、この既設サムターン３７に同軸で相対回転不能に被せられる被着穴が形成される。被着穴は、上記の連結穴４９に代わるものとなる。錠装置が扉面９１に取り付けられると、サムターンコア２９は、被着穴が既設サムターン３７に同軸に被せられ、相対回転不能に連結される。
【００１３】
本発明の請求項４記載の錠装置は、請求項１，２，３のいずれか１つに記載の錠装置であって、
装置本体１３がカバー１５に覆われ、
前記カバー１５に覆われずに表出する裏蓋２１が扉面９１に対面されて取り付けられ、
前記裏蓋２１に、前記サムターンコア２９の前記切替穴７１が表出するよう配置されることを特徴とする。
【００１４】
この錠装置では、装置本体１３は、裏蓋以外がカバー１５によって覆われ、扉面９１に取り付けられることで、裏蓋２１が扉面９１によって覆われる。これにより、扉３３に取り付けられた装置本体１３は、切替穴７１へ工具８９を挿入できなくなる。
【００１５】
本発明の請求項５記載の錠装置は、請求項４記載の錠装置であって、
前記裏蓋２１に、前記サムターンコア２９が前記相対回転不能に連結される異なる回転位置の回転方向を表す標示が設けられていることを特徴とする。
【００１６】
この錠装置では、扉３３に取り付けられる前に、裏蓋２１に表出する切替穴７１へ工具８９が挿入され、回転される際に、相対回転不能にサムターンコア２９が連結される異なる回転位置を標示で把握することができ、例えば連結箇所が２か所とされて左右勝手の切り替えが行える設定の場合には、左右勝手の切り替え操作のために工具８９が回転される際、２つの機能設定としての左右勝手の設定方向が、工具８９の回転方向として標示によって把握可能となる。また連結位置が３か所などの複数箇所となる構成の場合では、それぞれの回転位置で設定でき、工具８９の回転方向を標示で把握が可能となる。
【００１７】
本発明の請求項６記載の錠装置の機能設定方法は、請求項１，２，３，４，５のいずれか１つに記載の錠装置を用いる錠装置の機能設定方法であって、
前記錠装置を扉３３に取り付ける前に、前記切替穴７１に前記工具８９を挿入して前記切替軸２７をスライドすることにより前記サムターンコア２９と前記サムターンベース２５との連結を解除した後、
前記工具８９を回転して前記サムターンコア２９のみを切り替え位置に回転し、
前記工具８９を抜くことにより前記サムターンコア２９と前記サムターンベース２５とを再連結して、前記操作部材の回転方向に応じ前記検知体５３の検知位置を切り替えることを特徴とする。
【００１８】
この錠装置の機能設定方法では、工具８９によって奥側の切替軸２７がスライドされると、サムターンコア２９とサムターンベース２５との連結が解除される。連結が解除された状態で、工具８９が回転されると、サムターンコア２９のみが、所望の機能設定、例えば左右勝手において検知体５３が検知手段５５によって検知されることとなる回転位置へ回転される。所望の回転位置へサムターンコア２９が回転された後、工具８９が切替穴７１から抜かれると、切替軸２７によってサムターンコア２９とサムターンベース２５とが再連結される。この際の再連結位置は、切り替え連結前のサムターンベース２５と異なる相対角度に設定される。すなわち、切り替え前が第１の機能設定（左勝手）であれば、切り替え後は第２の機能設定（右勝手）となり、切り替え前が第２の機能設定（右勝手）であれば、切り替え後は第１の機能設定（左勝手）となる。これにより、サムターンコア２９の機能設定、例えば左右勝手の切り替え設定が完了される。
【発明の効果】
【００１９】
本発明に係る請求項１記載の錠装置によれば、工具を使って所望の方向に回転操作するのみで左右勝手などの機能の設定が簡単に変えられ、また、この設定部分が扉に対して取り付けてしまった後は表出しない位置にあることから変えられた設定は簡単には変更できず、悪戯を防止できる。また、左右勝手の切り替えの他に、電動と手動との切り替えにも対応でき、さらに、自動施錠と施解錠繰り返しなどモードの切り替えも簡単に設定可能であり、複数の機能切り替えを工具による回転操作で容易に行うことができる。
【００２０】
本発明に係る請求項２記載の錠装置によれば、操作部材とサムターンコアとが連結軸によって同軸に連結され、既設錠装置に操作力が確実に入力でき、かつ、操作力伝達構造をコンパクトにできる。
【００２１】
本発明に係る請求項３記載の錠装置によれば、既設サムターンを取り外さずに、錠装置を簡便に後付けできる。
【００２２】
本発明に係る請求項４記載の錠装置によれば、切り替え設定後、扉に取り付けられると、裏蓋に設けられた切替穴が隠れ、設定の変更が行えなくなる。
【００２３】
本発明に係る請求項５記載の錠装置によれば、標示を確認しながら、切り替え設定を容易、かつ、確実に行うことができる。
【００２４】
本発明に係る請求項６記載の錠装置の機能設定方法によれば、複数の機能設定の切り替え、例えば少なくとも２つの機能として左右勝手などの設定が簡単に変えられ、変えられた設定は簡単には変更できなくなる。
【図面の簡単な説明】
【００２５】
【図１】本発明に係る実施形態の錠装置を既設錠装置の操作部材とともに表した斜視図である。
【図２】図１に示した錠装置の側断面図である。
【図３】左右勝手を説明する扉の平面図である。
【図４】左右勝手を説明する既設錠装置の正面図である。
【図５】図２に示した要部の拡大分解側断面図である。
【図６】図２に示した要部の拡大分解斜視図である。
【図７】図２に示した錠装置の切り替え操作を説明する作用図である。
【図８】切り替え時のサムターンコアの動作過程を（ａ）（ｂ）（ｃ）で表した作用図である。
【図９】実施形態の変形例に係る錠装置を既設錠装置の操作部材とともに表した斜視図である。
【発明を実施するための形態】
【００２６】
以下、本発明に係る実施形態を図面を参照し、手動の既設錠装置に対して電気錠よりなる錠装置を左右勝手の設定を行う例として説明する。
図１は本発明に係る実施形態の錠装置を既設錠装置の操作部材とともに表した斜視図、図２は図１に示した錠装置の側断面図である。
本実施形態に係る錠装置である電気錠ユニット１１は、装置本体１３（図２参照）がカバー１５によって覆われ、カバー１５からは新設サムターン１７の新設摘み１９が表出している。カバー１５によって表側が覆われた装置本体１３は、裏側が裏蓋２１（図２参照）となる。装置本体１３は、モーター（図示せず）、施解錠駆動機構（図示せず）、制御部（図示せず）、センサ実装基板２３、電池（図示せず）、サムターンベース２５、切替軸２７、サムターンコア２９を備える。カバー１５には電池蓋３１が設けられ、電気錠ユニット１１は電池蓋３１を取り外すことで装置本体１３に収容される電池の交換が可能となる。
【００２７】
一方、扉３３には既設錠装置３５が内設される。既設錠装置３５には操作部材が突出して設けられる。操作部材は、既設サムターン３７（図９参照）と、既設サムターン３７が係合されるダルマ軸３９と、からなる。既設サムターン３７は、ダルマ軸３９のダルマ穴４１に挿入される。本実施形態において、既設錠装置３５は、既設サムターン３７が抜去されて使用される。
【００２８】
電気錠ユニット１１は、連結軸４３を付属部品として備える。連結軸４３は、一端がダルマ軸３９のダルマ穴４１に係合するダルマ穴係合部４５となり、他端が十字軸部４７となる。連結軸４３は、ダルマ穴係合部４５がダルマ穴４１に挿入され、十字軸部４７が図２に示す裏蓋２１に表出するサムターンコア２９の連結穴４９に挿入される。連結穴４９は、十字軸部４７と相対回転不能となる十字穴状に形成される。すなわち、サムターンコア２９は、既設錠装置３５の操作部材であるダルマ軸３９に連結される。これにより、電気錠ユニット１１は、連結軸４３を介して既設錠装置３５と連結される。
【００２９】
サムターンコア２９には、半径方向外側に突出する検出杆５１が設けられる。検出杆５１には検知体であるマグネット５３が固定される。マグネット５３は、装置本体１３の検知手段５５に対向配置されることで検出される。検知手段は、マグネット５３を検出するリードスイッチ５５と、リードスイッチ５５を実装するセンサ実装基板２３と、を有する。リードスイッチ５５は、１つ設けられていればよい。リードスイッチ５５は、センサ実装基板２３に形成される電気回路によって制御部に接続される。制御部は、リードスイッチ５５からマグネット５３を検出した検出信号を受けると、施解錠動作の制御信号をモーターへ送出する。このリードスイッチ５５によるマグネット５３の検出位置は、扉３３の左右勝手によって異なる。つまり、左右勝手に応じサムターンベース２５とサムターンコア２９との相対回転角は異なる。本実施形態において、この角度差は、９０°となっている。
【００３０】
電気錠ユニット１１は、既設錠装置３５と連結される際、扉３３の左右勝手に応じサムターンベース２５とサムターンコア２９とが所定の相対回転角に設定された後に取り付けられる。所定の相対回転角への設定は、サムターンベース２５に対しサムターンコア２９の連結が解除され、サムターンコア２９が回転されることにより行われる。
【００３１】
ここで、扉３３の左右勝手について説明する。
図３は左右勝手を説明する扉３３の平面図である。
本明細書中、扉３３は、屋内側に開くことを「内開き」、屋外側に開くことを「外開き」と言う。また、扉３３を支える丁番５７の軸が扉３３の開く側から見て左側に見えることを「左勝手」、扉３３を支える丁番５７の軸が扉３３の開く側から見て右側に見えることを「右勝手」と言う。
【００３２】
図４は左右勝手を説明する既設錠装置３５の正面図である。
既設錠装置３５は、左右勝手によって、施解錠するときの既設サムターン３７の回転方向が異なる。解錠状態において、左勝手と右勝手の既設サムターン３７は、いずれも既設摘み５９が縦向きとなる。一方、解錠状態から施錠状態への操作は、左勝手の場合、既設摘み５９が反時計回りに回転、すなわち、左側へ倒すことにより扉３３からデッドボルト６１が進出され、ストライク６３に挿入される。また、右勝手の場合の解錠状態から施錠状態への操作は、既設摘み５９が時計回りに回転、すなわち、右側へ倒すことにより扉３３からデッドボルト６１が進出され、ストライク６３に挿入される。本実施形態では、施錠から解錠、解錠から施錠の操作は、既設摘み５９が９０°回転されることにより行われる。
【００３３】
図５は図２に示した要部の拡大分解側断面図、図６は図２に示した要部の拡大分解斜視図である。
サムターンコア２９は、軸線方向へは移動されないようにして、装置本体１３に回転自在に支持される。サムターンコア２９には図示しないギアが設けられ、モーターに噛合される。サムターンコア２９は、モーターで回転されることで、連結軸４３を介して既設錠装置３５へ施解錠の動力を入力する。サムターンコア２９は、連結穴４９と反対側の他端側が大径部６５として形成される。大径部６５には大径穴６７と小径穴６９とが他端側から順に形成される。サムターンコア２９には、小径穴６９の奥側に、小径穴６９の内側に収まる大きさの正方形状の切替穴７１が形成される。大径穴６７、小径穴６９、切替穴７１、連結穴４９は、同一中心で連通されている。
【００３４】
サムターンベース２５は、新設サムターン１７の新設摘み１９と一体となって同軸で回転される。なお、本実施形態では、新設摘み１９にボタン７３の設けられる防犯形の新設サムターン１７が用いられる。勿論、新設サムターン１７は、ボタン７３の設けられていない普通のタイプであってもよい。サムターンベース２５は、新設サムターン１７と反対側の一端側に、大径穴６７に嵌る円形状のガイドフランジ７５が形成される。ガイドフランジ７５からは小径穴６９に嵌る円柱形状の凸部７７が形成される。凸部７７には正方形状の連結凹部７９が形成されている。ガイドフランジ７５、凸部７７、連結凹部７９は、同一中心で形成される。また、サムターンベース２５は、軸線方向へは移動されないようにして、サムターンコア２９と同一中心となるように、装置本体１３に回転自在に支持される。すなわち、サムターンベース２５は、図２に示すように、ガイドフランジ７５が大径穴６７に嵌り、凸部７７が小径穴６９に嵌った状態で、装置本体１３に組み付けられている。
【００３５】
切替軸２７は、一端側に、サムターンコア２９の切替穴７１に内接して挿入される円形状のガイド軸状部８１が形成される。ガイド軸状部８１の端側には正方形状の小径四角柱部８３が形成され、小径四角柱部８３は切替穴７１に嵌合される。小径四角柱部８３の他端側には正方形状の大径四角柱部８５が形成され、大径四角柱部８５は切替穴７１よりも大きく、連結凹部７９に嵌る大きさに形成されている。つまり、切替軸２７は、図２に示すように、小径四角柱部８３がサムターンコア２９の切替穴７１に嵌り、大径四角柱部８５がサムターンベース２５の連結凹部７９に嵌ることで、サムターンコア２９とサムターンベース２５とを相対回転不能に連結することが可能となる。
【００３６】
ここで、サムターンベース２５の連結凹部７９は、切替軸２７を奥側へ後退可能とさせる十分な深さで形成されている。連結凹部７９に後退された切替軸２７は、小径四角柱部８３が切替穴７１から退出され、ガイド軸状部８１のみが切替穴７１に残った状態となる。切替軸２７が後退されたこの状態において、サムターンコア２９とサムターンベース２５との連結は解除され、相互に独立回転可能となる。連結凹部７９の底と切替軸２７との間には圧縮バネ８７が設けられ、切替軸２７は圧縮バネ８７によってサムターンコア２９側へ押圧されている。切替軸２７は、異なる回転位置のそれぞれでサムターンコア２９とサムターンベース２５を相対回転不能に連結するとともに、軸線方向にスライドされてその連結を解除する。この連結の解除と再連結とによって、サムターンコア２９は、サムターンベース２５との相対回転角が切り替え可能となる。この切替は、９０°の回転範囲で行われ、一方側の回転端で左勝手に設定され、他方側の回転端で右勝手に設定される。
【００３７】
サムターンコア２９の切替穴７１には、例えば角柱状に形成される工具８９が相対回転不能に挿入される。工具８９は、挿入方向の押圧によって、切替軸２７を軸線方向にスライドさせ、小径四角柱部８３を切替穴７１から退出可能としている。これら、サムターンコア２９、切替軸２７、サムターンベース２５は、装置本体１３の内方に配置され、装置本体１３がカバー１５によって覆われることで、外からは見えない隠された状態となる。
【００３８】
裏蓋２１には、左勝手設定と右勝手設定の回転方向を表す標示（図示せず）が設けられている。電気錠ユニット１１は、扉３３に取り付けられる前に、裏蓋２１に表出する切替穴７１へ工具８９が挿入され、左右勝手の切り替え操作のために工具８９が回転される。その際、左右勝手の設定方向が、工具８９の回転方向として標示によって把握可能となる。これにより、標示を確認しながら、切り替え設定を容易、かつ、確実に行うことができるようになされている。
【００３９】
次に、上記構成を有する錠装置の機能設定方法として左右勝手の設定方法を説明する。
図７は図２に示した錠装置の切り替え操作を説明する作用図、図８は切り替え時のサムターンコア２９の動作過程を（ａ）（ｂ）（ｃ）で表した作用図である。
電気錠ユニット１１は、扉３３に取り付ける前に、図７に示すように、切替穴７１に工具８９を挿入して切替軸２７を圧縮バネ８７の付勢力に抗してスライドすることにより、サムターンコア２９とサムターンベース２５との連結を解除する。但し、連結の解除された後、ガイド軸状部８１のみは切替穴７１に残る。これにより、小径四角柱部８３が切替穴７１へ進入するときの再連結がスムースとなる。連結を解除した後、工具８９を回転操作することでサムターンコア２９のみが回転し、切り替え位置に回転となる。
【００４０】
図８（ａ）に示すように、既設摘み５９（図４参照）が縦方向から左に倒されて施錠となる左勝手の場合、垂直上方向を０°とし時計回り方向の角度の場合に、検出杆５１が２２５°の回転角の位置となっている。これを既設摘み５９が縦方向から右に倒されて施錠となる右勝手に設定を変更する場合、図８（ｂ）に示すように、連結を解除した状態で、工具８９を反時計回りに回転する。図８（ｃ）に示すように、工具８９の回転位置が１３５°の回転角となったら、工具８９をサムターンコア２９から抜く。すると、圧縮バネ８７の付勢力によって切替軸２７が再びサムターンコア側へ移動され、９０°位相が変更された相対回転角で、小径四角柱部８３が切替穴７１に挿入される。これにより、左勝手用から右勝手用への設定の変更が完了する。なお、以上の例は左勝手用から右勝手用への設定変更を説明したが、右勝手用から左勝手用への設定変更の場合も逆の動作によって同様に変更が完了する。
【００４１】
次に、上記構成を有する錠装置の作用を説明する。
電気錠ユニット１１では、サムターンコア２９の切替穴７１に工具８９が挿入され、工具８９によって奥側の切替軸２７がスライドされると、サムターンコア２９とサムターンベース２５との連結が解除される。連結が解除された状態で、工具８９が回転されると、サムターンコア２９のみが、所望の左右勝手において検知体５３が検知手段５５によって検知されることとなる回転位置へ回転される。所望の回転位置へサムターンコア２９が回転された後、工具８９が切替穴７１から抜かれると、切替軸２７によってサムターンコア２９とサムターンベース２５とが再連結される。この際の再連結位置は、切り替え連結前のサムターンベース２５と異なる相対角度に設定される。すなわち、切り替え前が左勝手であれば、切り替え後は右勝手となり、切り替え前が右勝手であれば、切り替え後は左勝手となる。これにより、サムターンコア２９の左右勝手の切り替え設定が完了される。
【００４２】
電気錠ユニット１１では、操作部材が既設サムターン３７であり、既設サムターン３７が抜去されて開口されるダルマ穴４１に連結軸４３が相対回転不能に挿入され、連結軸４３にサムターンコア２９が相対回転不能に連結される。既設サムターン３７が抜去されると、既設サムターン軸（図示せず）の挿入されていたダルマ穴４１が開口される。このダルマ穴４１に、既設サムターン軸と一端が同形状に形成される連結軸４３が挿入される。連結軸４３は、他端がサムターンコア２９の連結穴４９に相対回転不能に挿入される。これにより、操作部材とサムターンコア２９とが連結軸４３によって連結される。なお、連結穴４９の奥側には切替穴７１が同一中心で配置される。操作部材とサムターンコア２９とが連結軸４３によって同軸に連結され、既設錠装置３５に操作力が確実に入力でき、かつ、操作力伝達構造を軸線方向にコンパクトにできる。
【００４３】
また、電気錠ユニット１１は、装置本体１３がカバー１５に覆われている。カバー１５に覆われずに表出する裏蓋２１は、扉面９１に対面されて取り付けられる。この裏蓋２１に、サムターンコア２９の切替穴７１が表出するよう配置されている。装置本体１３は、裏蓋以外がカバー１５によって覆われ、扉面９１に取り付けられることで、この裏蓋２１が扉面９１によって覆われる。これにより、扉３３に取り付けられた装置本体１３は、切替穴７１へ工具８９を挿入できなくなる。その結果、切り替え設定後、電気錠ユニット１１が扉３３に取り付けられると、裏蓋２１に設けられた切替穴７１が隠れ、設定の変更が行えなくなる。
【００４４】
次に、上記実施形態の変形例を説明する。
図９は実施形態の変形例に係る錠装置を既設錠装置３５の操作部材とともに表した斜視図である。
この変形例に係る錠装置である電気錠ユニット９３は、操作部材が既設サムターン３７であり、サムターンコア（図示せず）が既設サムターン３７に被せられて連結される。既設錠装置３５の操作部材である既設サムターン３７が扉面９１から突出して設けられている。サムターンコアには、この既設サムターン３７に同軸で相対回転不能に被せられる被着穴（図示せず）が形成される。被着穴は、上記の連結穴４９に代わるものとなる。電気錠ユニット９３が扉面９１に取り付けられると、サムターンコアは、被着穴が既設摘み５９に同軸に被せられ、相対回転不能に連結される。これにより、既設サムターン３７を取り外さずに、電気錠ユニット９３を簡便に後付けできる。
【００４５】
なお、切替軸２７の小径四角柱部８３及び切替穴７１の軸線直交断面形状は、上記した正方形に限らず、その他の形状であってもよい。上記した切替角度が９０°の場合、９０°の位置で嵌まる形状、例えば十字形状、八角星形形状、歯車形状とすることもできる。
【００４６】
また、切替角度が上記以外の例えば、１８０°の場合、これらの軸線直交断面形状は長方形とすることができる。また、切替角度が１２０°の場合、これらの軸線直交断面形状は三角形とすることができる。更に、切替角度が６０°の場合、これらの軸線直交断面形状は正六角形とすることができる。
【００４７】
また、工具８９の形状は、切替軸２７を後退させることができて、そのままサムターンコア２９を回転させることが可能な形状であれは、対角線上にあてて挿入可能となるマイナスドライバーでも使用が可能となる。また、切替穴７１が六角穴であれば、六角レンチなどの使用も可能となる。
【００４８】
従って、本実施形態に係る錠装置及び錠装置の機能設定方法によれば、左右勝手の設定が簡単に変えられ、変えられた設定は簡単には変更できなくなる。
【００４９】
なお、上述した実施の形態では、扉の左右勝手を切り替える例として説明したが、本発明の錠装置では、２つの機能設定を切り替えることを可能としており、上記した左勝手と右勝手とを切り替える例の他に、電動と手動との切り替えや、自動施錠と施解錠繰り返しなどの錠の機能としてのモードの切り替えを行うことが可能であり、すなわち第１の機能設定と第２の機能設定の２つの機能の設定を、任意に、且つ簡単確実に切り替えられ、そしてその設定を容易に変更できないようになっている。また、本発明の錠装置は、このような２つの機能の設定の切り替えに限らず、３つの機能の設定など複数の機能設定を切り替え可能である。例えば３つの機能を設定可能な構成としては、切替軸２７の形状及びサムターンコア２９の切替穴７１の形状を３か所の回転位置で互いに連結する切替角度としてそれぞれを形成すれば良く、複数種類の動作モードや機能の切り替えなど、簡単に設定の変更が可能となる。
【符号の説明】
【００５０】
１１…錠装置（電気錠ユニット）
１３…装置本体
１５…カバー
１７…新設サムターン
２１…裏蓋
２５…サムターンベース
２７…切替軸
２９…サムターンコア
３３…扉
３５…既設錠装置
３７…操作部材（既設サムターン）
３９…操作部材（ダルマ軸）
４１…ダルマ穴
４３…連結軸
５１…検出杆
５３…検知体（マグネット）
５５…検知手段（リードスイッチ）
７１…切替穴
８９…工具
９１…扉面
【図１】
2013209856.tif 000003
【図２】
2013209856.tif 000004
【図３】
2013209856.tif 000005
【図４】
2013209856.tif 000006
【図５】
2013209856.tif 000007
【図６】
2013209856.tif 000008
【図７】
2013209856.tif 000009
【図８】
2013209856.tif 000010
【図９】
2013209856.tif 000011